(57)【要約】【課題】不使用時には、スキミング等の不正アクセスを防止し、使用時のみＩＣカードとの通信を可能することができるようにする。【解決手段】開閉自在な表裏のカバー部２ａ、２ｂと、これら表裏のカバー部２ａ、２ｂ間に設けられ、非接触で通信されるＩＣカード５と、表裏のカバー部２ａ、２ｂにそれぞれ設けられた導電体シート４Ａ，４Ｂと、これら導電体シート４Ａ，４Ｂの少なくとも一方の内面側に設けられたシート３Ａ，３Ｂとを具備する。【選択図】      図１
2008071202.tif 000002
【特許請求の範囲】
【請求項１】
開閉自在な表裏のカバー部と、
これら表裏のカバー部間に設けられ、非接触で通信されるＩＣカードと、
前記表裏のカバー部にそれぞれ設けられた電磁シールド材と、
これら電磁シールド材の少なくとも一方の内面側に設けられた磁性体と
を具備することを特徴とする通帳類。
【請求項２】
前記ＩＣカードはその一面側に情報印刷面を有し、この情報印刷面が対向する側のカバー部には電磁シールド材のみを設けたことを特徴とする請求項１記載の通帳類。
【請求項３】
開閉自在な表裏のケース片と、
これら表裏のケース片の一方の内側に設けられ、非接触で通信されるＩＣカードを収納する収納部と、
前記表裏のケース片にそれぞれ設けられた電磁シールド材と、
これら電磁シールド材の少なくとも一方の内面側に設けられた磁性体と
を具備することを特徴とするＩＣカードケース。
【請求項４】
前記ＩＣカードはその一面側に情報印刷面を有し、この情報印刷面が対向する前記ケース片側には電磁シールド材のみを設けたことを特徴とする請求項３記載のＩＣカードケース。
【発明の詳細な説明】
【技術分野】
【０００１】
本発明は、例えば、スキミング等の不正アクセスを防止する電子式のパスポート、及びＩＣカードのカードケースに関する。
【背景技術】
【０００２】
昨今、個人ＩＤを証明する媒体として、ＩＣカードや、電子式のパスポート等、ＲＦＩＤ技術を利用したＩＤ媒体が多用されている。ＩＣカードは、開閉式のカードケース内に収納されて利用者に所持されることが多い（例えば、特許文献１参照。）。
【０００３】
この種のＲＦＩＤ技術を利用したＩＤ媒体は、非接触での通信が可能であるため、電子的なアクセスによる利便性を図ることができる。
【特許文献１】特開２０００−２６８１４６号公報
【発明の開示】
【発明が解決しようとする課題】
【０００４】
しかしながら、従来においては、上記したＩＤ媒体が非接触での通信が可能であるため、スキミングや、高エネルギー磁界照射によるカード破壊といった本人の意図しない状況での不正アクセスが行われるという問題があった。
【０００５】
本発明は上記事情に着目してなされたもので、その目的とするところは、ＩＣカードへの不正アクセスを遮断できるようにした通帳類、及びＩＣカードケースを提供することにある。
【課題を解決するための手段】
【０００６】
上記課題を解決するため、請求項１記載のものは、開閉自在な表裏のカバー部と、これら表裏のカバー部間に設けられ、非接触で通信されるＩＣカードと、前記表裏のカバー部にそれぞれ設けられた電磁シールド材と、これら電磁シールド材の少なくとも一方の内面側に設けられた磁性体とを具備する。
【０００７】
請求項３記載のものは、開閉自在な表裏のケース片と、これら表裏のケース片の一方の内側に設けられ、非接触で通信されるＩＣカードを収納する収納部と、前記表裏のケース片にそれぞれ設けられた電磁シールド材と、これら電磁シールド材の少なくとも一方の内面側に設けられた磁性体とを具備する。
【発明の効果】
【０００８】
本発明によれば、不使用時には、スキミング等の不正アクセスを防止し、使用時のみＩＣカードとの通信が可能となり、安全性が優れる。
【発明を実施するための最良の形態】
【０００９】
以下、本発明を図面に示す実施の形態を参照して詳細に説明する。  
図１は、通帳類としての電子式のパスポート１を示す外観斜視図である。
【００１０】
このパスポート１は、冊子状になっており、外側には硬い紙質の表裏のカバー部２ａ、２ｂが設けられ、内側にはＲＦＩＤチップ、および回路が埋め込まれたＩＣシート（ＩＣカード）５、及び個人情報が印刷されたページ紙６が設けられている。
【００１１】
表裏のカバー２ａ、２ｂの内面側には、電磁シールド材としての導電体シート４Ａ、４Ｂが貼り付けられ、さらに、これら導電体シート４Ａ、４Ｂの内面側には、磁性体シート３Ａ、３Ｂが貼り付けられている。なお、磁性体シート３Ａ、３Ｂ、及び導電体シート４Ａ、４Ｂは、表裏のカバー２ａ、２ｂの内部に埋め込まれるものであっても良い。
【００１２】
図２は、上記したＩＣシート５を示す斜視図である。
【００１３】
ＩＣシート５は樹脂製で、その内部には、アンテナ１１及び周辺アナ口グ回路と、ＲＦＩＤチップ１２及びその周辺デジタル回路が埋め込まれている。
【００１４】
アンテナ１１及び周辺アナ口グ回路により決定される共振周波数に相当する周波数をもったキャリア波が、図示しない非接触ＲＦＩＤ読取デバイスからアンテナ１１に照射されると、ＲＦＩＤチップ１２および周辺デジタル回路の電源電圧が生成され、ＲＦＩＤ媒体としての動作が可能となる。
【００１５】
また、上記したキャリア波を振幅変調や負荷変調を行うことにより、非接触ＲＦＩＤ読取デバイスとのデータ通信を行うことが可能となる。
【００１６】
図３は、上記したように構成されるパスポート１が閉じられた状態（通常の携帯時）で、ＲＦＩＤ読取デバイス１５のアンテナ１６によるアクセスが裏面側のカバー２ｂから行なわれた場合を示す。
【００１７】
このときには、ＲＦＩＤ読取デバイス１５から発生するキャリア波は導電体シート４Ｂによって遮蔽され、ＩＣシート５のアンテナ１１には到達しない。
【００１８】
また、ＲＦＩＤ読取デバイス１５のアンテナ１６によるアクセスが表面側のカバー２ａから行なわれた場合には、ＲＦＩＤ読取デバイス１５から発生するキャリア波は導電体シート４Ａによって遮蔽され、ＩＣシート５のアンテナ１１には到達しない。
【００１９】
よって、ＩＣシート５はその両面側からの通信が不能状態となり、通常の携帯時での不正アクセスを防止することができる。
【００２０】
図４は、パスポート１を開いた状態（通常の使用時）で、ＲＦＩＤ読取デバイス１５のアンテナ１６によるアクセスを行った場合を示す。
【００２１】
このときには、導電体シート４Ｂが開放しているため、ＲＦＩＤ読取デバイス１５から発生するキャリア波は、ＩＣシート５との通信が可能になる。
【００２２】
また、このときには、磁性体シート３Ａは、キャリア波による磁界を制御し、導電体シート４Ａによるキャリア波の遮蔽を防止することができる。
【００２３】
図５は、本発明の第２の実施形態であるＩＣカードのカードケース２１を示す外観斜視図である。
【００２４】
カードケース２１は、開閉自在な表裏のケース片２１ａ、２１ｂを有し、これら表裏のケース片２１ａ、２１ｂには、上記したパスポート１と同様に磁性体シート３Ａ、３Ｂ、及び導電体シート（電磁シールド材）４Ａ、４Ｂが貼り付けられ、又は埋め込まれている。
【００２５】
裏ケース片２１ｂには、ＩＣカード２２を収納するためのカード収納部２３が設けられている。このカード収納部２３は透明材によって形成されてカード挿入口２３ａを有している。ＩＣカード２２はカード収納部２３内に挿入された状態で、その券面の確認を行うことができるようになっている。ＩＣカード２２には、上記したＩＣシート５と同様にアンテナ２５及び周辺アナ口グ回路と、ＲＦＩＤチップ２６及びその周辺デジタル回路が埋め込まれている。
【００２６】
この実施の形態においても、上記した実施の形態と同様に、カードケース２１が閉じられた状態（通常の携帯時）では、ＲＦＩＤ読取デバイス１５から発生するキャリア波は導電体シート４Ａ、或いは導電体シート４Ｂによって遮蔽され、ＩＣカード２２のアンテナ２５には到達しない。よってＩＣカード２２の両面側からの通信は不可能となり、通常の携帯時での不正アクセスを防止することができる。
【００２７】
また、カードケース２１が開かれた状態（通常の使用時）では、ＲＦＩＤ読取デバイス１５から発生するキャリア波は、導電体シート４Ｂの開放により、ＩＣカード２２との通信が可能になる。
【００２８】
なお、上記した実施の形態では、磁性体シートと導電体シートの２ペアのうち、どちらのシートを開いてもＲＦＩＤ読取デバイス１５での読み取りが可能であったが、これに限られず、図６に示すように、パスポート１の表カバー部２ａ、カードケース２１の表ケース片２１ａの磁性体シート３Ａを不要にして表カバー部２ａ、表ケース片２１ａを開放したときのみＲＦＩＤ読取デバイス１５での読み取が可能になるようにしても良い。
【００２９】
即ち、パスポート１のＩＣシート５や、カードケース２１のＩＣカード２２のＩＣデータを読み込む際に、券面を確認することを前提とした場合、必然的にＲＦＩＤ読取デバイス１５からのキャリア波を照射する方向が決まってくる。
【００３０】
パスポート１の場合には、図７に示すように券面を確認するためにパスポートの個人情報印刷ページを開き、そのままＩＣシート５のある側をＲＦＩＤ読取デバイス１５のアンテナにかざす。
【００３１】
また、カードケース２２の場合には、その表ケース片２１ａを開き、ＩＣカード２２の券面情報を確認し、そのまま、ＩＣカード２２のある側をＲＦＩＤ読取デバイス１５のアンテナ１６にかざす。
【００３２】
この実施の形態によれば、片側の磁性体シート３Ａを不要にすることができ、経済的である。
【００３３】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００３４】
【図１】本発明の第１の実施の形態であるパスポートを示す外観斜視図。
【図２】図１のパスポートのＩＣシートを示す斜視図。
【図３】図１のパスポートが閉じられた状態での通信遮断状態を示す図。
【図４】図１のパスポートが開かれた状態での通信状態を示す図。
【図５】本発明の第２の実施の形態であるＩＣカードのカードケースを示す外観斜視図。
【図６】本発明の第３の実施の形態である磁気シールド構造を示す側断面図。
【図７】図６のＩＣカードの通信状態を示す図。
【符号の説明】
【００３５】
１…パスポート（通帳類）、２ａ、２ｂ…表裏のカバー部、５，２２…ＩＣカード、４Ａ、４Ｂ…導電体シート（電磁シールド材）、３Ａ，３Ｂ…磁性体シート、２１…カードケース、２１ａ，２１ｂ…表、裏のケース片、２３…収納部。
【図１】
2008071202.tif 000003
【図２】
2008071202.tif 000004
【図３】
2008071202.tif 000005
【図４】
2008071202.tif 000006
【図５】
2008071202.tif 000007
【図６】
2008071202.tif 000008
【図７】
2008071202.tif 000009